【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
ウェブサービスを利用するユーザが印刷指示を行ったことに応じて前記ウェブサービスを提供するサービス提供装置からデータを受信し、受信されたデータを基に生成した印刷のためのジョブを画像形成装置にネットワークを介して提供する情報処理装置であって、
画像形成装置と対応関係を有する第１のプリンタオブジェクトと、前記画像形成装置と対応関係を有さない第２のプリンタオブジェクトとを管理する管理手段と、
前記第２のプリンタオブジェクトが選択され印刷指示された場合は特定の画像形成装置に前記ジョブを送信することなく保持し、前記画像形成装置から前記第１のプリンタオブジェクトに対しアクセスされたことに応じて、前記第２のプリンタオブジェクトが保持しているジョブを前記第１のプリンタオブジェクトを介して前記画像形成装置へ送信する送信手段と、を備える
ことを特徴とする情報処理装置。
【請求項２】
前記送信手段は、前記第１のプリンタオブジェクトに対しアクセスした前記画像形成装置より受信した識別情報を基に、前記第１のプリンタオブジェクトが保持しているジョブ、および前記第２のプリンタオブジェクトが保持しているジョブの内何れか１つのジョブを前記画像形成装置へ送信する
ことを特徴とする請求項１に記載の情報処理装置。
【請求項３】
前記第１のプリンタオブジェクトを示すプリンタ選択項目と、前記第２のプリンタオブジェクトを示すプリンタ選択項目を表示する表示手段
をさらに備え、
前記送信手段は、前記第１のプリンタオブジェクトを示すプリンタ選択項目が選択され印刷指示された場合は、前記第１のプリンタオブジェクトと対応関係を有する画像形成装置に前記ジョブの取得要求を送信させるために、前記ジョブが生成されたことを通知するための通知情報を前記画像形成装置に送信し、前記第２のプリンタオブジェクトが選択され印刷指示された場合は、前記通知情報を送信せず、ユーザが操作する画像形成装置から前記ジョブの取得要求を受付けたことに応じて前記ユーザが操作する画像形成装置に前記ジョブを送信する
ことを特徴とする請求項１に記載の情報処理装置。
【請求項４】
前記表示手段は、前記第１のプリンタオブジェクトを示す選択項目が選択された場合に、通常印刷または溜め置き印刷を選択可能なプリンタ選択項目をさらに表示し、
前記送信手段は、前記通常印刷が選択された場合は、前記第１のプリンタオブジェクトと対応関係を有する前記画像形成装置に前記ジョブの取得要求を送信させるために、前記ジョブが生成されたことを通知するための通知情報を前記画像形成装置に送信し、
前記画像形成装置から第１モードが設定された前記ジョブの取得要求を受付けたことに応じて前記ユーザが操作する前記画像形成装置に前記ジョブを送信し、
前記送信手段は、前記溜め置き印刷が選択された場合は、前記通知情報を送信せず前記ユーザが操作する画像形成装置から第２モードが設定された前記ジョブの取得要求を受付けたことに応じて前記ユーザが操作する画像形成装置に前記ジョブを送信する
ことを特徴とする請求項３に記載の情報処理装置。
【請求項５】
前記管理手段は、前記画像形成装置または前記ユーザが操作するユーザ装置から登録要求を受付けて前記第１または前記第２のプリンタオブジェクトを作成し、作成された前記プリンタオブジェクトの登録情報を管理し、
前記情報処理装置は、登録された前記プリンタオブジェクトのジョブ情報を記憶する記憶手段をさらに備え、
前記表示手段は、前記ユーザ装置から前記第２のプリンタオブジェクトの登録要求を受付けて、作成された一または複数の前記第１のプリンタオブジェクトを前記第２のプリンタオブジェクトとして登録させるための選択画面を表示し、
前記管理手段は、前記選択画面で選択された前記一または複数の第１のプリンタオブジェクトを前記第２のプリンタオブジェクトとして作成し、前記第２のプリンタオブジェクトの登録情報を前記第１のプリンタオブジェクトの登録情報に紐付けて管理し、
前記第２のプリンタオブジェクトは、前記第２のプリンタオブジェクトを示すプリンタ選択項目が選択された場合に、生成されたジョブを保持し、第３モードとして該ジョブのジョブ情報を前記記憶手段に記憶させ、
前記第１のプリンタオブジェクトは、前記溜め置き印刷が選択された場合に、生成されたジョブを保持し、前記第２モードとして該ジョブのジョブ情報を前記記憶手段が記憶している前記ジョブ情報に紐付けて記憶させ、
前記第１のプリンタオブジェクトは、前記通常印刷が選択された場合に、前記第１モードとして該ジョブのジョブ情報を前記記憶手段が記憶している前記ジョブ情報に紐付けて記憶させ、
前記第１のプリンタオブジェクトは、前記画像形成装置から前記第２モードが設定されたジョブの取得要求を受付けて、前記ジョブ情報の中に前記第３モードのジョブを確認した場合であって、前記第１のプリンタオブジェクトが前記第２のプリンタオブジェクトとして登録されていれば前記第２のプリンタオブジェクトから保持されている前記ジョブを取得し、
前記送信手段は、前記第２モードおよび前記第３モードのジョブを併せて前記画像形成装置に送信する
ことを特徴とする請求項３または４に記載の情報処理装置。
【請求項６】
前記第１のプリンタオブジェクトは、前記第２モードおよび前記第３モードのジョブの実行状態を前記画像形成装置から受信した場合に、前記記憶手段が記憶するジョブ情報に含まれる前記第２モードのジョブの実行状態を更新するとともに、前記第２のプリンタオブジェクトに対して前記第３モードのジョブの実行状態を送信し、
前記第２のプリンタオブジェクトは、前記ジョブ情報に含まれる前記第３モードのジョブの実行状態を、送信された前記実行状態を用いて更新する
ことを特徴とする請求項５に記載の情報処理装置。
【請求項７】
前記管理手段は、前記画像形成装置から該画像形成装置の登録要求を受付けたときに、前記第１のプリンタオブジェクトを識別するための第１識別情報を作成し、前記第１のプリンタオブジェクトの登録情報に紐付けて管理するとともに前記画像形成装置に送信し、
前記管理手段は、前記選択画面で選択された前記一または複数の第１のプリンタオブジェクトを前記第２のプリンタオブジェクトとして作成する場合に、前記第２のプリンタオブジェクトを識別するための第２識別情報を作成し、作成された前記第２識別情報を前記画像形成装置に送信することで前記第１識別情報に前記第２識別情報を追加して登録させ、
前記送信手段は、前記第１識別情報を用いて前記画像形成装置から印刷指示を受付けたときは、前記第１のプリンタオブジェクトを経由して取得されたジョブを前記画像形成装置に送信し、前記第２識別情報を用いて前記画像形成装置から印刷指示を受付けたときは、前記第２のプリンタオブジェクトを経由して取得されたジョブを前記画像形成装置に送信する、
ことを特徴とする請求項５または請求項６に記載の情報処理装置。
【請求項８】
前記管理手段は、個別ユーザに前記画像形成装置を共有させる共有登録を受付け、前記画像形成装置と対応関係を有する第３のプリンタオブジェクトをユーザ毎に作成し、前記第１のプリンタオブジェクトの登録情報に共有先としてユーザ情報を追加し、該登録情報に基づいて個別ユーザ用の登録情報を作成し、
前記管理手段はさらに、前記個別ユーザが操作するユーザ装置から前記第２のプリンタオブジェクトの登録要求を受付けて、前記個別ユーザの第２のプリンタオブジェクトである第４のプリンタオブジェクトを登録させる選択画面を表示し、前記選択画面で選択された一または複数の前記第３のプリンタオブジェクトに基づいて前記第４のプリンタオブジェクトを作成し、前記個別ユーザ用の登録情報と前記第１のプリンタオブジェクトの登録情報に前記第４のプリンタオブジェクトの登録情報を紐づけ、
前記個別ユーザのユーザ装置により前記第２のプリンタオブジェクトを示すプリンタ選択項目が選択された場合は、前記第４のプリンタオブジェクトがジョブを保持し、前記第３モードとして該ジョブのジョブ情報を前記記憶手段に記憶させ、
前記個別ユーザが操作するユーザ装置により前記溜め置き印刷が選択された場合は、前記第３のプリンタオブジェクトは、生成されたジョブを共有元の前記第１のプリンタオブジェクトに送信し、前記第１のプリンタオブジェクトが前記第２モードとして該ジョブのジョブ情報を前記記憶手段に記憶させ、
前記第１のプリンタオブジェクトは、前記個別ユーザが操作する前記画像形成装置から印刷指示および前記ユーザ情報を受付けて、前記ユーザ情報に紐付く第２モードのジョブを前記記憶手段から取得し、前記ジョブ情報の中に前記ユーザ情報に紐付く前記第３モードの設定を確認した場合に、前記第４のプリンタオブジェクトから前記第３モードのジョブを取得し、
前記送信手段は、前記個別ユーザに関する前記第２モードおよび前記第３モードのジョブを併せて前記画像形成装置に送信する
ことを特徴とする請求項５乃至請求項７のいずれか一項に記載の情報処理装置。
【請求項９】
前記第１のプリンタオブジェクトは、前記個別ユーザに関する前記第２モードおよび前記第３モードのジョブの実行状態を前記画像形成装置から受信した場合に、前記記憶手段が記憶する前記ユーザ情報に紐付く前記第２モードのジョブの実行状態を更新するとともに、前記第４のプリンタオブジェクトに対して前記第３モードのジョブの実行状態と前記第１のプリンタオブジェクトのプリンタネームを送信し、
前記第４のプリンタオブジェクトは、前記記憶手段が記憶するジョブ情報に含まれる前記第３モードのジョブの実行状態を送信された前記実行状態に更新し、前記第４のプリンタオブジェクトのプリンタネームに前記第１のプリンタオブジェクトのプリンタネームを追加する
ことを特徴とする請求項８に記載の情報処理装置。
【請求項１０】
前記個別ユーザにより前記第２のプリンタオブジェクトを示すプリンタ選択項目が選択された場合は、前記第４のプリンタオブジェクトは、前記個別ユーザを識別するためのユーザ識別情報を作成し、生成されたジョブと前記ユーザ識別情報を前記第３のプリンタオブジェクトに送信し、前記第３のプリンタオブジェクトが前記第１のプリンタオブジェクトに前記第４のプリンタオブジェクトから送信された前記ジョブと前記ユーザ識別情報とを送信することにより前記個別ユーザに紐付くジョブ情報を共有させ、
前記第３のプリンタオブジェクトが選択された場合に、前記第３のプリンタオブジェクトは、生成されたジョブを前記第１のプリンタオブジェクトに送信し、
前記第１のプリンタオブジェクトは、送信された前記ジョブを保持するとともに該ジョブのジョブ情報に前記個別ユーザを識別するためのユーザ識別情報を追加して前記記憶手段が記憶するジョブ情報に紐付けて記憶させ、
前記第１のプリンタオブジェクトは、前記個別ユーザが操作する前記画像形成装置から印刷指示および前記ユーザ識別情報を受付けて、前記第３および前記第４のプリンタオブジェクトから送信された、保持している前記ユーザ識別情報に紐付いたジョブを前記画像形成装置に送信する
ことを特徴とする請求項８または請求項９に記載の情報処理装置。
【請求項１１】
前記送信手段は、前記個別ユーザにより前記通常印刷が選択された場合に、前記第１のプリンタオブジェクトと対応関係を有する画像形成装置に前記ジョブの取得要求を送信させるために、前記ジョブが生成されたことを通知するための通知情報を前記画像形成装置に送信し、前記ユーザ情報と前記第１モードのジョブの取得要求とを含む印刷指示を前記画像形成装置から取得したことに応じて、前記個別ユーザを対象とし、前記記憶手段から前記第１モードのジョブを取得して前記画像形成装置に送信し、
前記送信手段は、前記個別ユーザにより前記溜め置き印刷が選択された場合に、前記画像形成装置から前記ユーザ情報を含む印刷指示または前記ユーザ情報と前記第２モードのジョブの取得要求とを含む印刷指示を取得したことに応じて、前記個別ユーザのみを対象とし、前記記憶手段から前記ユーザ情報に紐付く前記第２モードのジョブを取得して前記画像形成装置に送信し、
前記送信手段は、前記個別ユーザにより前記第２のプリンタオブジェクトを示す選択項目が選択された場合に、前記画像形成装置から前記第１のプリンタオブジェクトの識別情報と前記ユーザ情報を含む印刷指示、または前記第１のプリンタオブジェクトの識別情報と前記ユーザ情報と前記第２モードのジョブの取得要求とを含む印刷指示を取得したことに応じて、前記個別ユーザのみを対象とし、前記記憶手段から前記ユーザ情報に紐付く前記第２モードおよび第３モードのジョブを取得して前記画像形成装置に送信する
ことを特徴とする、請求項８乃至請求項１０のいずれか一項に記載の情報処理装置。
【請求項１２】
ウェブサービスを利用するユーザが印刷指示を行ったことに応じて前記ウェブサービスを提供するサービス提供装置からデータを受信し、受信されたデータを基にジョブを生成する情報処理装置と、前記情報処理装置が生成したジョブをネットワークを介して受信し、印刷を実行する画像形成装置とを備える印刷システムであって、
前記情報処理装置は、前記画像形成装置と対応関係を有する第１のプリンタオブジェクトと、前記画像形成装置と対応関係を有さない第２のプリンタオブジェクトとを管理する管理手段と、
前記第２のプリンタオブジェクトが選択され印刷指示された場合は特定の画像形成装置に前記ジョブを送信することなく保持し、前記画像形成装置から前記第１のプリンタオブジェクトに対しアクセスされたことに応じて、前記第２のプリンタオブジェクトが保持しているジョブを前記第１のプリンタオブジェクトを介して前記画像形成装置へ送信する送信手段とを備え、
前記画像形成装置は、前記情報処理装置から前記通知情報を受信したとき、または前記ユーザ操作に応じて、前記ジョブの取得要求を前記情報処理装置に対して要求する要求手段と、
前記情報処理装置から前記ジョブを受信して前記ジョブを実行する実行手段とを備える
ことを特徴とする印刷システム。
【請求項１３】
ウェブサービスを利用するユーザが印刷指示を行ったことに応じて前記ウェブサービスを提供するサービス提供装置からデータを受信し、受信されたデータを基に生成したジョブを画像形成装置にネットワークを介して提供する情報処理装置の制御方法であって、
画像形成装置と対応関係を有する第１のプリンタオブジェクトと、前記画像形成装置と対応関係を有さない第２のプリンタオブジェクトとを管理する管理工程と、
前記第２のプリンタオブジェクトが選択され印刷指示された場合は特定の画像形成装置に前記ジョブを送信することなく保持し、前記画像形成装置から前記第１のプリンタオブジェクトに対しアクセスされたことに応じて、前記第２のプリンタオブジェクトが保持しているジョブを前記第１のプリンタオブジェクトを介して前記画像形成装置へ送信する送信工程とを備える
ことを特徴とする制御方法。
【請求項１４】
請求項１３に記載の制御方法をコンピュータに実行させることを特徴とするコンピュータプログラム。
【手続補正２】
【補正対象書類名】明細書
【補正対象項目名】０００８
【補正方法】変更
【補正の内容】
【０００８】
本発明の一実施形態に係る情報処理装置は、ウェブサービスを利用するユーザが印刷指示を行ったことに応じて前記ウェブサービスを提供するサービス提供装置からデータを受信し、受信されたデータを基に生成した印刷のためのジョブを画像形成装置にネットワークを介して提供する情報処理装置である。前記情報処理装置は、画像形成装置と対応関係を有する第１のプリンタオブジェクトと、前記画像形成装置と対応関係を有さない第２のプリンタオブジェクトとを管理する管理手段と、前記第２のプリンタオブジェクトが選択され印刷指示された場合は特定の画像形成装置に前記ジョブを送信することなく保持し、前記画像形成装置から前記第１のプリンタオブジェクトに対しアクセスされたことに応じて、前記第２のプリンタオブジェクトが保持しているジョブを前記第１のプリンタオブジェクトを介して前記画像形成装置へ送信する送信手段とを備える。
【手続補正３】
【補正対象書類名】図面
【補正対象項目名】図５
【補正方法】変更
【補正の内容】
【図５】
2013238924.tif 000001
【手続補正４】
【補正対象書類名】図面
【補正対象項目名】図９
【補正方法】変更
【補正の内容】
【図９】
2013238924.tif 000002